【手続補正書】
【提出日】平成24年5月10日(2012.5.10)
【手続補正１】
【補正対象書類名】明細書
【補正対象項目名】０００７
【補正方法】変更
【補正の内容】
【０００７】
本発明の一態様は、複数の被写体の種別にそれぞれ対応する音の特徴を示す音の特徴情報を記憶した第１の記憶手段と、音声データ及び複数の画像データを取得する取得手段と、上記取得手段で取得した上記複数の画像データによりそれぞれ表現される画像に写る被写体の種別を認識する認識手段と、上記認識手段で認識した被写体の種別に対応する音の特徴情報を上記第１の記憶手段から読出し、読出した音の特徴情報が示す音の特徴を設定する設定手段と、上記取得手段で取得した音声データから再現される音声のうち、上記設定手段で設定した音の特徴に属する音声の音量が規定の音量以上であると判断した時点の画像データを取得する画像取得手段とを具備したことを特徴とする。
【手続補正２】
【補正対象書類名】明細書
【補正対象項目名】０００８
【補正方法】変更
【補正の内容】
【０００８】
本発明の他の一態様は、音声データ及び複数の画像データを取得する取得手段と、上記取得手段で取得した上記複数の画像データによりそれぞれ表現される画像に写る被写体の表情を検出する検出手段と、上記検出手段で検出した被写体の表情が予め設定された表情となっている画像データを取得する第１の画像取得手段と、上記取得手段で取得した音声データから再現される音声の音量が規定の音量以上であるか否かを判断する判断手段と、上記第１の画像取得手段で取得した被写体が写っている画像データであって、かつ上記判断手段で規定の音量以上であると判断した時点の画像データを取得する第２の画像取得手段とを具備したことを特徴とする。
【手続補正３】
【補正対象書類名】特許請求の範囲
【補正対象項目名】全文
【補正方法】変更
【補正の内容】
【特許請求の範囲】
【請求項１】
複数の被写体の種別にそれぞれ対応する音の特徴を示す音の特徴情報を記憶した第１の記憶手段と、
音声データ及び複数の画像データを取得する取得手段と、
上記取得手段で取得した上記複数の画像データによりそれぞれ表現される画像に写る被写体の種別を認識する認識手段と、
上記認識手段で認識した被写体の種別に対応する音の特徴情報を上記第１の記憶手段から読出し、読出した音の特徴情報が示す音の特徴を設定する設定手段と、
上記取得手段で取得した音声データから再現される音声のうち、上記設定手段で設定した音の特徴に属する音声の音量が規定の音量以上であると判断した時点の画像データを取得する画像取得手段と
を具備したことを特徴とする画像処理装置。
【請求項２】
上記認識手段で複数の被写体の種別を認識した場合に、認識した複数の被写体の種別のうちの１つを選択する選択手段をさらに具備し、
上記設定手段は、上記認識手段で認識した複数の被写体の種別のうち、上記選択手段で選択した１つの種別に対応する音の特徴情報を上記第１の記憶手段から読出し、読出した音の特徴情報が示す音の特徴を設定することを特徴とする請求項１記載の画像処理装置。
【請求項３】
上記複数の被写体の種別にそれぞれ対応する優先順位を記憶した第２の記憶手段をさらに具備し、
上記選択手段は、上記認識手段で複数の異なる被写体の種別を認識した場合、認識した複数の異なる被写体の種別のうち、上記第２の記憶手段で記憶した優先順位で最も高い優先順位に対応する１つの種別を選択することを特徴とする請求項２記載の画像処理装置。
【請求項４】
複数の異なる被写体の種別中、任意の１つの選択を指示する指示手段をさらに具備し、
上記選択手段は、上記認識手段で複数の異なる被写体の種別を認識した場合、認識した複数の異なる被写体の種別のうち、上記指示手段で指示した任意の１つの種別を選択することを特徴とする請求項２記載の画像処理装置。
【請求項５】
上記画像取得手段の判断基準となる規定の音量を任意に決定する決定手段を具備したことを特徴とする請求項１記載の画像処理装置。
【請求項６】
上記画像取得手段は、上記設定手段で設定した音の特徴に属する音声の音量が最大である時点の画像データを取得することを特徴とする請求項１記載の画像処理装置。
【請求項７】
上記複数の被写体の種別は、男性、女性、成人、及び子供のうち少なくとも１つを含むことを特徴とする請求項１記載の画像処理装置。
【請求項８】
上記音の特徴は、被写体の種別に対応する音声周波数帯域であることを特徴とする請求項１記載の画像処理装置。
【請求項９】
上記画像取得手段が取得する画像データは、上記取得手段で取得した音声データから再現される音声のうち、上記設定手段で設定した音の特徴に属する音声の音量が規定の音量以上であると判断した音量を再現する音声データが付帯されていることを特徴とする請求項１記載の画像処理装置。
【請求項１０】
音声データ及び複数の画像データを取得する取得手段と、
上記取得手段で取得した上記複数の画像データによりそれぞれ表現される画像に写る被写体の表情を検出する検出手段と、
上記検出手段で検出した被写体の表情が予め設定された表情となっている画像データを取得する第１の画像取得手段と、
上記取得手段で取得した音声データから再現される音声の音量が規定の音量以上であるか否かを判断する判断手段と、
上記第１の画像取得手段で取得した被写体が写っている画像データであって、かつ上記判断手段で規定の音量以上であると判断した時点の画像データを取得する第２の画像取得手段とを具備したことを特徴とする画像処理装置。
【請求項１１】
上記第１の画像取得手段が取得の基準とする、予め設定された表情を複数の候補から任意に選択する選択手段をさらに具備したことを特徴とする請求項１０記載の画像処理装置。
【請求項１２】
画像処理装置が内蔵するコンピュータが実行するプログラムであって、該コンピュータを、
複数の被写体の種別にそれぞれ対応する音の特徴を示す音の特徴情報を記憶する第１の記憶手段、
音声データ及び複数の画像データを取得する取得手段、
上記取得手段で取得した上記複数の画像データによりそれぞれ表現される画像に写る被写体の種別を認識する認識手段、
上記認識手段で認識した被写体の種別に対応する音の特徴情報を上記第１の記憶手段で記憶した内容から読出し、読出した音の特徴情報が示す音の特徴を設定する設定手段、及び
上記取得手段で取得した音声データから再現される音声のうち、上記設定手段で設定した音の特徴に属する音声の音量が規定の音量以上であると判断した時点の画像データを取得する画像取得手段
として機能させることを特徴とする、上記コンピュータが実行可能なプログラム。
【請求項１３】
画像処理装置が内蔵するコンピュータが実行するプログラムであって、該コンピュータを、
音声データ及び複数の画像データを取得する取得手段、
上記取得手段で取得した上記複数の画像データによりそれぞれ表現される画像に写る被写体の表情を認識する認識手段、
上記認識手段で認識した被写体の表情が予め設定された表情となっている画像データを取得する第１の画像取得手段、
上記取得手段で取得した音声データから再現される音声の音量が規定の音量以上であるか否かを判断する判断手段、及び
上記第１の画像取得手段で取得した被写体が写っている画像データであって、かつ上記判断手段で規定の音量以上であると判断した時点の画像データを取得する第２の画像取得手段
として機能させることを特徴とする、上記コンピュータが実行可能なプログラム。